(57)【要約】【課題】キッチンシンクの汚れを除去することができるミスト装置付きキッチンシンクを提供する。【解決手段】キッチンシンク１のシンク槽２や排水トラップ３に付着した汚れ、シンク槽２内の食器等の汚れをミストで除去するために、ミストを発生させる発生部を有するミスト発生装置５を備える。ミスト径が０．１乃至５０μｍの液体のミストをミスト発生装置５から、シンク槽２に供給管９から吐出口８を経て又はシャワーノズル１０により供給し、汚れの洗浄、殺菌などを行う。このときシンク槽２上部開口１１をスライド天板４で覆って封鎖空間でミストを供給して処理する。【選択図】図１
2007146420.tif 000002
【特許請求の範囲】
【請求項１】
径が０．１乃至５０μｍの液体のミストを発生させるミスト発生部を備えたことを特徴とするミスト装置付きキッチンシンク。
【請求項２】
液体のミストの温度を制御する温度制御手段を設けて温ミスト又は冷ミストを発生させることを特徴とする請求項１記載のミスト装置付きキッチンシンク。
【請求項３】
有用成分を添加する添加手段を設けて有用成分を含むミストを発生することを可能としたことを特徴とする請求項１又は２記載のミスト装置付きキッチンシンク。
【請求項４】
液体のミストのミネラル成分を制御する不純物制御手段を設けたことを特徴とする請求項１乃至３のいずれかに記載のミスト装置付きキッチンシンク。
【請求項５】
シンク内を換気又は乾燥する気流を発生させる気体供給手段を設けたことを特徴とする請求項１乃至４のいずれかに記載のミスト装置付きキッチンシンク。
【請求項６】
シンク内空所にミストを到達させるミスト噴出手段を設けたことを特徴とする請求項１乃至５のいずれかに記載のミスト装置付きキッチンシンク。
【請求項７】
シンクを封鎖する封鎖手段を設けたことを特徴とする請求項１乃至６のいずれかに記載のミスト装置付きキッチンシンク。
【発明の詳細な説明】
【技術分野】
【０００１】
本発明は、キッチンシンクの汚れ及びシンク内に置いたものを微粒子状にしたミストによって洗浄するミスト装置付きキッチンシンクに関するものである。
【背景技術】
【０００２】
キッチンシンクは汚れた食器などの付着物や洗浄水の飛散により、その環境は非常にウェットな状態であり、微生物の繁殖には好条件な環境である。また、それらの汚れが付着し、不衛生で見苦しい。一般に、キッチンシンクの汚れを除去するには拭き取りにより行われており、その作業負荷を低減する方法として、伸縮式シャワー付きカランの採用やシンク表面への防汚コーテイングなどの採用がなされている。食器類の洗浄時の節水方法として、食器洗浄機が用いられている。
【０００３】
ところで、キッチンシンクではないが、浴槽壁等の浴室の汚れを除去するための洗浄システムとして、浴室の上部に設置したスプレーノズルから洗剤をスプレーし、その後、水噴霧ノズルから水を霧状に噴霧して洗剤をすすぐものが知られている（例えば、特許文献１参照）。
【特許文献１】特開２００２−２５３４４０号公報
【発明の開示】
【発明が解決しようとする課題】
【０００４】
上記特許文献１に示された洗浄システムでは、洗剤用のスプレーノズルと水噴霧ノズルとがそれぞれ必要となり、設備コストが高くつくだけでなく、キッチンシンクでは、その細部に洗剤が浸透しないとともに、洗剤や水が長く残るおそれがあるという課題を有していた。また、食器洗浄機は設置場所やコンセントを要し、手軽にすぐに利用できない。
【０００５】
本発明は上記の従来の問題点に鑑みてなされたものであって、その目的とするところは、キッチンシンクの汚れを除去することができるミスト装置付きキッチンシンクを提供することである。本発明の他の目的は、洗浄、殺菌・消臭効果を得ることができるミスト装置付きキッチンシンクを提供することである。本発明のさらに他の目的は、冷却、加熱効果を得ることができるミスト装置付きキッチンシンクを提供することである。
【課題を解決するための手段】
【０００６】
前記課題を解決するため本願発明の請求項１に係るミスト装置付きキッチンシンクは、径が０．１乃至５０μｍの液体のミストを発生させるミスト発生部を備えたことを特徴とするものである。洗浄の場合は、径が０．１乃至２０μｍの洗剤入り水溶液の液体のミストを用い、すすぎの場合は、径が１乃至５０μｍ程度の水のミストを用いることが、それぞれ洗浄効果とすすぎ効果が特によくなることで好ましい。
【０００７】
また請求項２に係る発明は、請求項１のミスト装置付きキッチンシンクにおいて、液体のミストの温度を制御する温度制御手段を設けて温ミスト又は冷ミストを発生させることを特徴とする。ミスト温度を室温以上に制御する温度制御手段としては、ミスト発生部又は供給経路途中にて温度調節するヒータ、熱交換器等の温度調節装置が適用される。ミスト温度を高温に加熱することで、ミストの拡散効率を上げ、少ない霧化量で高い洗浄性と浸透性を得ると共に、加熱効果を得る利用ができ、殺菌性を高めるうえでも好ましい。また室温以下のミストは食品の冷却に使用できる。室温以下のミストを得るには、加熱・冷却可能な熱媒を使用する温度調節装置をミスト発生部又は供給経路途中に設ければよい。
【０００８】
また請求項３に係る発明は、請求項１又は２記載のミスト装置付きキッチンシンクにおいて、有用成分を添加する添加手段を設けて有用成分を含むミストを発生することを可能としたことを特徴とする。有用成分としては、洗浄効果を促進する洗剤やアルカリ性化合物等や、殺菌、消臭効果のあるアルカリ性化合物、Ａgイオン,ＩＰＡ、強酸性化合物等や、アロマ効果のあるハーブ、柑橘類、樹木等の芳香等があげられる。
【０００９】
また請求項４に係る発明は、請求項１乃至３のいずれかのミスト装置付きキッチンシンクにおいて、液体のミストのミネラル成分を制御する不純物制御手段を設けたことを特徴とする。
【００１０】
また請求項５に係る発明は、請求項１乃至４のいずれかのミスト装置付きキッチンシンクにおいて、シンク内を換気又は乾燥する気流を発生させる気体供給手段を設けたことを特徴とする。シンク内を換気・乾燥する気体供給手段として送風機を設けて、送風機のみで又はヒータと連動して送風温度を制御することにより行う。
【００１１】
また請求項６に係る発明は、請求項１乃至５のミスト装置付きキッチンシンクにおいて、シンク内空所にミストを到達させるミスト噴出手段を設けたことを特徴とする。この噴出手段としては、排水トラップ内や所要個所に吐出口を設けるとか、そこに到達するか接近できる吐出ノズル等が適用できる。
【００１２】
また請求項７に係る発明は、請求項１乃至６のいずれかのミスト装置付きキッチンシンクにおいて、シンクを封鎖する封鎖手段を設けたことを特徴とする。
【発明の効果】
【００１３】
本願の請求項１に係るミスト装置付きキッチンシンクによれば、ミスト発生部にて洗浄液のミストを発生させてシンクや排水トラップや食器等所要の空間に吐出することで、この洗浄液のミストがシンクや排水トラップや食器等に付着している汚れに形状に関係なく浸透してこの汚れを浮かせることができる。また、ミスト発生部にて水のミストを発生させて吐出することで、これらの表面でミストが浮いている汚れをすすいで除去することができる。従って、洗剤や水の行き渡らない陰になる部分の汚れをも除去して十分な洗浄ができる。また、径が０．１乃至５０μｍのミストを用いることで、洗浄時やすすぎ時や冷却時の節水ができる。
【００１４】
また請求項２に係る発明によれば、請求項１の発明の効果に加えて、ミスト温度を高温に加熱することで、ミストの拡散効率を上げ、少ない霧化量で高い洗浄性と浸透性を得ると共に、加熱効果を得る利用ができ、殺菌性を高めるうえでも好ましい。また室温以下のミストは少ない水量で食品の冷却ができる。
【００１５】
また請求項３に係る発明によれば、請求項１の発明の効果に加えて、有用成分として洗剤を添加すると、洗浄、殺菌効果を向上することができる。殺菌効果等のある成分を添加すると、殺菌・消毒効果を向上することができる。アロマ効果成分を添加すると、その置こうかを享受することができる。２種以上添加すると、それらの効果を同時に得ることができる。
【００１６】
また請求項４に係る発明によれば、請求項１の発明の効果に加えて、液体のミストのミネラル成分を減らすようにした液体のミストですすぎを行うことにより、乾燥後に液中の不純物が水垢として残るのをなくすことができる。
【００１７】
また請求項５に係る発明によれば、請求項１の発明の効果に加えて、気流を発生させることにより、シンクの洗浄・乾燥及びシンク内に置いたものの洗浄・乾燥が容易にできる。温風を発生させて用いると、乾燥がより容易となる。
【００１８】
また請求項６に係る発明によれば、請求項１の発明の効果に加えて、シンク内にミスト噴出口を開口するように設けると、効率よくシンク内にミストを供給でき、効率よく洗浄、殺菌ができる。また、排水トラップ内に到達するように、噴出手段を設けると、効率よく排水トラップの洗浄、殺菌ができる。また、任意のところに供給するように構成すると、部分的な洗浄、殺菌ができる。
【００１９】
また請求項７に係る発明によれば、請求項１の発明の効果に加えて、ミストをシンクに充満させることができ、シンク内及びシンク内に置いたものの洗浄、殺菌等が一層効率的にできる。
【発明を実施するための最良の形態】
【００２０】
以下、本発明の実施形態を添付図面に基づいて説明する。図１は本実施形態のミスト装置付きキッチンシンクを示す正面断面図、図２はその斜視図、図３はその横断面図、図４はそのミスト発生装置の構成を示すブロック図、図５はミスト発生装置のミスト発生部の変形例の断面図である。
【００２１】
本実施の形態のミスト装置付きキッチンシンク１は、図に示すように、シンク槽２、排水トラップ３、スライド天板４、ミスト発生装置５を備え、流し台６のカウンタ７にシンク槽２が段落とし状態で組み込まれ、ミスト発生装置５がカウンタ７の下部空間に取り付けられて構成されている。
【００２２】
また、本実施の形態のミスト装置付きキッチンシンク１は、シンク槽２内空間にミストを吐出するミスト吐出口８がシンク槽２の側壁に開口し、吐出口８とミスト発生装置５とを供給管９で連通して構成している。シンク槽２の上方にシャワーカラン１０が設けられている。スライド天板４は、シンク槽２の上面にスライドしてを開口１１を封鎖してシンク槽２内に封鎖空間を形成できるようにカウンタ７に設けられている。
【００２３】
本実施形態のミスト発生装置５は、図４に示すように、ミスト発生部５０と、ミスト発生部５０に貯留する洗浄液Ｓ等の洗剤等の有用成分を供給するための液貯留タンク５１、液搬送経路５２、ミスト発生部５０に水を供給する給水経路５３、ミストの温度を調節するミスト温度調節装置５９で主体が構成される。
【００２４】
ミスト発生部５０はミストを発生させる部分で、その方式としては、超音波振動によるもの、スチームによるもの、圧力噴霧によるもの、アーク放電によるもの等が用いられる。これらのミスト発生機構により、高効率でミスト発生部５０にてミストを発生させることが可能となる。
【００２５】
超音波振動子５７を設けたミスト発生部５０の場合には、超音波振動子５７はミスト発生部５０に溜まっている洗浄液Ｓ中に浸漬されるように配置され、発信器（図示せず）からの発振出力が供給されて洗浄液Ｓを超音波振動させて、例えばミスト径が０．１〜５０μｍ程度の微粒子状の洗剤ミストＭが生成されるようになっている。
【００２６】
スチームによるミスト発生部５０の場合には、液体を加温してスチームを発生させることでミストＭを発生させる。また、アーク放電によるミスト発生部の場合には、高電圧ブロックにより高電圧を印加してミスト化するものである。
【００２７】
また、図５に示すように、超音波振動子５７と粒子径制御手段を構成するアーク放電の電極５８等と２種以上組み合わせてミストを微粒化するミスト発生部５０の場合には、高効率で径の小さいミストＭを発生させることができる。また、ミスト発生部５０に液体のミストＭの温度を加温したり冷却する温度調節装置５９、図示していない調節装置等から温度制御手段を構成してもよい。洗浄液Ｓを加熱するように温度調節して、加温された温ミストＭを発生させることにより、拡散性及び洗浄力を向上させることができる。また、室温以下の冷ミストは少ない水量で食品等の冷却ができる。
【００２８】
液貯留タンク５１は、洗剤の原液５４を貯留するタンクであり、その底部付近には、液貯留タンク５１内に貯留している洗剤の原液５４を搬送する液搬送経路５２となる配管の一端部が配置される。液搬送経路５２には、途中に液搬送経路５２を開閉するための液搬送バルブ５５が設けてあり、液搬送経路５２の他端部はミスト発生部５０に接続される。
【００２９】
ミスト発生部５０は、液体を貯留することができる構造となっており、液搬送経路５２の他端部が接続されると共に、水道等の給水源からの給水経路５３が接続される。給水経路５３の途中には給水弁５６が設けてある。このミスト発生部５０には、液搬送バルブ５５を開いて液貯留タンク５１内に貯留してある洗剤の原液５４を液搬送経路５２を介して供給すると共に、給水弁５６を開いて給水源より給水経路５３を介して水を供給し、有用成分としての洗剤の原液５４の所定の濃度の水溶液を生成してミスト洗浄用の洗浄液Ｓとする。なお、他の有用成分のミストを発生する場合はその成分の液を洗浄液Ｓの代わりに用いることとし、すすぎ洗浄を行う場合には、ミスト発生部５０に水のみを貯留しておくものである。
【００３０】
また、ミスト発生部５０は、ミスト供給経路としての供給管９を介してシンク槽２の吐出口８に連通している。また、図示していない供給管により洗面台６のシャワーカラン１０に連通すると共に、他の使用個所に連通させてもよい。
【００３１】
このミスト発生装置５の動作についてシンク槽２を洗浄する場合について説明すると、まず、吐出口８を供給管９によりミスト発生装置５に接続し、シンク槽２の空間の上面はスライド天板４により封鎖する。
【００３２】
さらに、液搬送バルブ５５を開いて、洗剤の原液５４を液貯留タンク５１から液搬送経路５２を介してミスト発生部５０に搬送すると共に、給水弁５６を開いて水道等の給水源より給水経路５３を介してミスト発生部５０に給水し、洗剤の原液５４を所定の濃度に薄めてミスト洗浄用の洗浄液Ｓを生成する。洗剤の原液としては市販の食器用洗剤（例えば「マジックリン」）でよく、希釈濃度は通常は例えば１０倍（この場合例えば洗剤３０ｃｃに対して水２７０ｃｃ）とし、洗浄水の余分な使用をさけるようによう配慮して、３００ｃｃの洗剤液Ｓを準備する。
【００３３】
次に、ミスト発生部５０の超音波振動子５７を振動させて、ミスト発生部５０に貯留している洗浄液Ｓを霧状化して洗剤ミストＭを発生させる。ミストの径が０．１〜５０μｍの洗浄液ＳのミストＭを発生させる。ミスト発生部５０により発生した洗剤ミストＭは、供給管９を介してシンク槽２の空間に所定時間（例えば通常５〜１５分間）吐出し、シンク槽２や食器等に付着することでシンク槽２に付着している汚れを浮かせるものである。
【００３４】
また、シンク槽２のすすぎ洗浄を行う場合には、液搬送バルブ５５は閉じたままにしてミスト発生部５０に洗剤の原液５４を供給せず、給水弁５６を開いてミスト発生部５０に給水して水のみを貯留する。そして、ミスト発生部５０の超音波振動子５７を振動させて、ミスト発生部５０に貯留している水を霧状化して水のミストＭを発生させてシンク槽２に吐出し、水のミストＭをシンク槽２や食器等に付着させてシンク槽２のすすぎ洗浄を行うものである。
【００３５】
なお、食品のミスト冷却についても、洗浄、すすぎの場合と同様に行う。すすぎにおいて、殺菌成分、アロマ成分等の有用成分を添加して行ってもよい。すすぎを終了した後に、図示していない換気・乾燥手段から換気・乾燥気体を吐出口８又は図示していない供給手段を介して、シンク槽２等所要の空間に供給し、槽面、食器等に付着したミストを乾燥させる。これにより、カビの繁殖をなくす効果が一層確実にできる。なお、上述した動作は図示しない制御部によって制御されるものであってもよい。
【００３６】
このように、径が０．１〜５０μｍの洗浄液ＳのミストＭをミスト発生部５０により発生させてミスト洗浄を行うことで、シンク槽２や食器等の表面に付着している汚れに浸透してこの汚れを浮かせて除去することができ、シンク槽２の形状に関係なく隅々まで洗浄を行うことができて、カビや菌の繁殖を抑えることが可能となる。
【００３７】
本実施形態では、一つのミスト発生部５０に液搬送経路５２と給水経路５３とを接続して、洗浄液ＳのミストＭを発生させる場合には液搬送経路５２を介して洗剤の原液を供給すると共に給水経路５３を介して水を供給してミスト発生部５０に洗浄液Ｓを貯留する。水のミストＭを発生させる場合には給水経路５３を介して水を供給してミスト発生部５０に水を貯留することができて、一つのミスト発生部５０にて洗浄液ＳのミストＭと水のミストＭの両方をそれぞれ発生させることができる。
【００３８】
超音波振動によるミスト発生部５０を備えたものにおいては、超音波の振動数を増減することで発生させるミストＭの径が調節可能となる。高周波の超音波振動によりミストＭを発生させると、径の小さな（０．１〜２０μｍ程度）のミストＭが生成され、少量であっても拡散効率及び浸透性が高くなって洗浄効果が高く、低周波の超音波振動によりミストＭを発生させると、径の大きな（１〜５０μｍ程度）のミストＭが生成され、多量のミストＭを発生させてすすぎ洗浄が効果的に行われる。
【００３９】
本実施形態では、ミスト発生部５０にて洗浄液ＳのミストＭを発生させるための洗浄液Ｓの洗剤濃度、洗浄液ＳのミストＭの吐出量及びミスト噴霧時間を自動で調節するように制御することができるように、運転モード変更手段を有するものである。
【００４０】
これは例えば、汚れがひどい場合には、操作部により「強力洗浄モード」を入力することで、洗剤濃度が例えば通常の二倍（即ち五倍希釈）の洗浄液Ｓを生成してミスト発生部５０に貯留し、通常（５分〜１５分）の１．５〜３倍の時間（即ち１５〜４５分間）ミスト噴霧を行う。これにより、「強力洗浄モード」とするだけで強力なミスト洗浄が可能となる。
【００４１】
次に、図６によりミスト装置付きキッチンシンクのミスト発生装置の他の実施形態について説明する。本実施形態では、洗剤を含む有用成分を２種以上添加できるように構成すると共に、複数のミスト供給個所への供給が容易なように構成したことが上記実施形態と相違しているのみであるので、共通する部分については同一符号を付して詳細な説明は省略する。
【００４２】
本実施形態のミスト発生装置５ａは、有用成分Aを供給するための液貯留タンク５１a、有用成分Bを供給するための液貯留タンク５１b、それぞれの液搬送経路５２a、５２ｂをそれぞれ開閉するバルブ５５a、５５ｂがそれぞれ設けられてなるミスト有用成分供給系が設けられて構成される。
【００４３】
液貯留タンク５１aに貯留する有用成分Aとしては、例えばアロマ効果に有効な柑橘類、ハーブ、樹木等の芳香成分があげられ、液貯留タンク５１ｂに貯留する有用成分Bとしては、例えば殺菌効果に有効な銀イオン、ＩＰＡ等の成分があげられる。
【００４４】
これらの有効成分を含む有効成分は１種ずつ又は複数成分がそれぞれの貯留タンク５１a、５１ｂに貯留される。そして、ミスト発生部５０において、１種ずつ又は複数成分を供給し、それが含まれた洗浄液Sとすれば、その有効成分に対応した１種又は複数成分を含んだミストを発生することができる。このように有効成分を含んだミストを発生させてキッチンシンクに用いることにより、その作用を常時享受することができる。
【００４５】
また、ミスト供給経路である供給管９に分岐弁１２を設け、分岐経路９ａ、分岐経路９ｂ，分岐経路９ｃと分岐させている。そして、各分岐経路９ａ，９ｂ，９ｃをそれぞれシンク吐出口８、シャワーカラン１０、他の必要個所に固定して連通させる。また、供給管９又は分岐経路９ａ，９ｂ，９ｃに、ミスト吐出量を調節する制御手段として図示していない送風機や弁を設けてもよいし、シンク内を換気または乾燥する気流を発生させる気体供給手段を設けるか連結してもよい。
【００４６】
なお、上記実施形態において、キッチンシンクの例で説明しているが、これに限られないことは勿論であり、液体洗浄が行われる流し台のシンクに適用できる。また、シンク空間をスライド天板で封鎖する例で説明しているが、シンクを封鎖する手段は必須ではないが、効率よくミスト洗浄等するためにはあった方がよい。また、封鎖手段はスライド天板にかぎられず、カーテンタイプのものや回動式や移動式のものであっても良い。
【００４７】
また、水道等の給水源からの給水経路５３の途中に、水道等の給水に含まれるミネラル成分等の蒸発後に残る不純物を除去する不純物制御手段を設けてもよい。不純物制御手段の代表的なものとしては、イオン交換式水処理装置や逆浸透式水処理装置等があげられる。また、シンク槽２のシャワーカラン１０にミストを供給するようにミスト発生装置に連結してもよい。また、ミスト供給ノズルを設け、これを所要個所に伸縮できるようにしてもよい。また、ミスト径の制御を超音波の周波数で行うものやアーク放電による制御例で説明したが、温度で制御するものであってもよい。
【図面の簡単な説明】
【００４８】
【図１】本発明のミスト装置付きキッチンシンクの一実施形態の正面断面図である。
【図２】その斜視図である。
【図３】その側面断面図である。
【図４】そのミスト発生装置の要部ブロック図である。
【図５】そのミスト発生装置のミスト発生部の変形例の要部ブロック図である。
【図６】そのミスト発生装置の他の実施形態の要部ブロック図である。
【符号の説明】
【００４９】
１  ミスト装置付きキッチンシンク
２  シンク
３  排水トラップ
４  スライド天板
５  ミスト発生装置
６  流し台
７  カウンタ
８  吐出口
１０  シャワーカラン（ミスト供給ノズル）
５０  ミスト発生部
Ｍ  ミスト
Ｓ  洗浄液
【図１】
2007146420.tif 000003
【図２】
2007146420.tif 000004
【図３】
2007146420.tif 000005
【図４】
2007146420.tif 000006
【図５】
2007146420.tif 000007
【図６】
2007146420.tif 000008